(57)【要約】【課題】揺動選別部で選別され、仕上樋に流入した埃や塵などの異物を含む仕上穀粒から、この仕上樋において異物を除去するとともに、仕上樋周辺に有する異物も風選部に影響を与えず除去可能とする、作業性を向上させた籾摺選別装置を提供する。【解決手段】揺動選別部１８は、選別穀粒を揺動選別する揺動選別盤１８ｂと、この揺動選別盤１８ｂの下方に有する、揺動選別盤１８ｂから得た仕上穀粒を拡散しながら落下させる仕上樋３２とを備え、仕上樋３２は、この仕上樋３２の送穀方向に沿って略全長にわたり、仕上穀粒から異物を除去する除塵用風路３７を設ける。【選択図】図８
2010051838.tif 000002
【特許請求の範囲】
【請求項１】
原料穀粒を脱ぷ部の脱ぷロールで脱ぷして得た混合穀粒を、風選部で風選して中間穀粒および選別穀粒にし、前記中間穀粒を搬送体により前記脱ぷ部に還元する還元部および前記選別穀粒をさらに選別する揺動選別部を備えるとともに、
前記揺動選別部は、前記選別穀粒を揺動選別する揺動選別盤と、該揺動選別盤の下方に有する、前記揺動選別盤から得た仕上穀粒を拡散しながら仕上風選部に落下させる仕上樋とを備える籾摺選別装置において、
前記仕上樋は、該仕上樋の送穀方向に沿って略全長にわたり、前記仕上穀粒から異物を除去する除塵用風路を設けることを特徴とする籾摺選別装置。
【請求項２】
前記除塵用風路は、前記仕上樋の近傍に設けた圧風唐箕に連通させることを特徴とする、請求項１に記載の籾摺選別装置。
【請求項３】
前記圧風唐箕は、前記仕上風選部に連通させることを特徴とする、請求項１に記載の籾摺選別装置。
【発明の詳細な説明】
【技術分野】
【０００１】
本発明は、原料穀粒を脱ぷ部の脱ぷロールで脱ぷして得た混合穀粒を、風選部で風選して中間穀粒および選別穀粒にし、中間穀粒を搬送体により脱ぷ部に還元する還元部および選別穀粒をさらに選別する揺動選別部を備えるとともに、揺動選別部は、選別穀粒を揺動選別する揺動選別盤と、この揺動選別盤の下方に有する、揺動選別盤から得た仕上穀粒を拡散しながら仕上風選部に落下させる仕上樋とを備える籾摺選別装置に関し、より詳細には、仕上樋は、この仕上樋の送穀方向に沿って略全長にわたり、仕上穀粒から異物を除去する除塵用風路を設けた籾摺選別装置に関する。
【背景技術】
【０００２】
従来の籾摺選別装置には、揺動選別部における揺動選別盤の下方であって、この揺動選別盤で揺動選別されて取り出された仕上穀粒（玄米）の流入口から落粒室に流下させた玄米を、拡散コンベアによって機体側部に拡散させながら送穀し、副選別路の移送コンベアに落粒させる過程で、吸引ファンにより吐風口から吸引した風によって、再選別として玄米中の塵を除去する。そして、このように再選別された玄米は、移送コンベアにより送穀した昇降機により機外に取り出されるものがある（特許文献１）。
【０００３】
【特許文献１】特開２００１−１９８４７９号公報
【発明の開示】
【発明が解決しようとする課題】
【０００４】
しかし、このような従来の籾摺選別装置では、揺動選別盤で選別された仕上穀粒が、流下樋などを介してそのまま機体後部に備える拡散コンベアなどの仕上樋に流入するため、仕上穀粒に混入した小さな埃や塵が仕上樋周辺に堆積し、仕上穀粒の円滑な送穀を妨げて頻繁なメンテナンスが必要となり、作業性を低下させるという問題があった。そこで、仕上樋と、風選部で混合穀粒を風選するための、機体前部に備える吸引ファンとを連通させる方法もあるが、両者間の距離が離れているため、吸引ファンの吸引力が弱まり、風選部での風選効率が低下するという問題もあった。
そこで、この発明の目的は、揺動選別部で選別され、仕上樋に流入した埃や塵などの異物を含む仕上穀粒から、この仕上樋において異物を除去するとともに、仕上樋周辺に有する異物も風選部に影響を与えず除去可能とする、作業性を向上させた籾摺選別装置を提供することにある。
【課題を解決するための手段】
【０００５】
このため、請求項１に記載の発明は、原料穀粒を脱ぷ部の脱ぷロールで脱ぷして得た混合穀粒を、風選部で風選して中間穀粒および選別穀粒にし、前記中間穀粒を搬送体により前記脱ぷ部に還元する還元部および前記選別穀粒をさらに選別する揺動選別部を備えるとともに、前記揺動選別部は、前記選別穀粒を揺動選別する揺動選別盤と、該揺動選別盤の下方に有する、前記揺動選別盤から得た仕上穀粒を拡散しながら仕上風選部に落下させる仕上樋とを備える籾摺選別装置において、前記仕上樋は、該仕上樋の送穀方向に沿って略全長にわたり、前記仕上穀粒から異物を除去する除塵用風路を設けることを特徴とする。
【０００６】
請求項２に記載の発明は、請求項１に記載の籾摺選別装置において、前記除塵用風路は、前記仕上樋の近傍に設けた圧風唐箕に連通させることを特徴とする。
【０００７】
請求項３に記載の発明は、請求項１に記載の籾摺選別装置において、前記圧風唐箕は、前記仕上風選部に連通させることを特徴とする。
【発明の効果】
【０００８】
請求項１に記載の発明によれば、原料穀粒を脱ぷ部の脱ぷロールで脱ぷして得た混合穀粒を、風選部で風選して中間穀粒および選別穀粒にし、中間穀粒を搬送体により脱ぷ部に還元する還元部および選別穀粒をさらに選別する揺動選別部を備えるとともに、揺動選別部は、選別穀粒を揺動選別する揺動選別盤と、この揺動選別盤の下方に有する、揺動選別盤から得た仕上穀粒を拡散しながら落下させる仕上樋とを備える籾摺選別装置において、仕上樋は、この仕上樋の送穀方向に沿って略全長にわたり、仕上穀粒から異物を除去する除塵用風路を設けるので、揺動選別部で選別され、仕上樋に流入した埃や塵などの異物を含む仕上穀粒から、この仕上樋において除塵用風路により異物を除去することで、仕上樋への異物の堆積を防ぐことができる。従って、作業性を向上させた籾摺選別装置を提供することができる。
【０００９】
請求項２に記載の発明によれば、除塵用風路は、仕上樋の近傍に設けた圧風唐箕に連通させるので、仕上樋において仕上穀粒から異物を吸引させるために、機体前部に設置した風選部の吸引ファンを用いる必要がなく、風選部の風選効率を損なわずに、仕上樋近傍に別途設けた圧風唐箕により高効率で異物を吸引除去することができる。従って、作業性を向上させた籾摺選別装置を提供することができる。
【００１０】
請求項３に記載の発明によれば、圧風唐箕は、仕上風選部に連通させるので、仕上風選部の玄米に残留する異物を、従来のように仕上風選部から離間した位置に設置された風選部の吸引ファンを用いて吸引除去する必要がないため、風選部の吸引力（風選効率）を損なわいとともに、仕上風選部近傍に設置した圧風唐箕により高効率に異物を吸引除去でき、仕上樋周辺および仕上風選部に堆積する異物を圧風唐箕により吸引除去することができる。従って、作業性を向上させた籾摺選別装置を提供することができる。
【発明を実施するための最良の形態】
【００１１】
以下図面を参照しつつ本発明を実施するための最良の形態について説明する。
図１は、この発明の一例としての籾摺選別装置の左側面図、図２は籾摺選別装置を左前方からみた斜視図、図３は籾摺選別装置の平面図、図４は籾摺選別装置内部の左側面模式図である。
【００１２】
この例の籾摺選別装置１は、図１〜図３に示すように、機体上部中央にホッパ２と、このホッパ２の側面視背面には、混合米揚穀機３と混合米タンク４が連設される。さらに機体前端には、籾殻排出筒５および機体後端に揚穀機６が備えられ、揚穀機６の上部後端に仕上粒出口９が設けられている。また、機体中央の左側部には、搬送体としての還元昇降機７ａが設けられる。
【００１３】
そして、図４に示すように、主軸ロール１１ａと副軸ロール１１ｂとからなる脱ぷロール１１ｃを有する脱ぷ部１１の下方には、脱ぷロール１１ｃで籾摺され、得られた粃や玄米などの混合米（混合穀粒）が通過する風選路１２ａを有する風選部１２が配設される。この脱ぷロール１１ｃ下方であって、風選路１２ａ終端下部の機体前部（側面視左端）には、混合米に吸引作用する吸引ファン１３、この吸引ファン１３の後部（側面視右隣）であって、脱ぷロール１１ｃの下方には、風選路１２ａから混合米中の小米を含む粃などの中間穀粒が落下する粃排出樋１４、さらに粃排出樋１４の後方には、混合米中の籾や玄米などの選別穀粒が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には、混合米を搬送する均分樋１７を有し、この均分樋１７の下方には揺動選別部１８が備えられる。なお、図１〜２では、機体内部に備える揺動選別板１８ｂが見えるように、機体左側部のカバー２４が開蓋されている。この揺動選別部１８は、均分樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
揺動選別部１８の下方には、選別部１８の前部から順に籾用流路１９、混合米用流路２０、玄米（仕上穀粒）用流路２１がそれぞれ配設される。そして、籾用流路１９の終端に有する返り籾入口部１６ａが、返り籾出口部１６ｂを介して側面視手前に備えられる図４に示す複数のバケット７ｂを備える、還元部７の還元昇降機７ａに連通され、この還元昇降機７ａの上部は、ホッパ２に連通される。また、混合米用流路２０と玄米用流路２１との間には、玄米の機内循環と機外排出とを切り替える切替弁２２が設けられる。そして、機体後端部には、詳細を後述する玄米用流路２１が切替弁２２下方に設けられ、この玄米用流路２１に連通して、複数のバケット６ａを備える玄米用の揚穀機６が立設される。なお、各ベルトに取付けられたバケット３ａ，６ａなどは、それぞれ図示しない駆動モータにより回転するプーリで上下方向に循環される。また、揚穀機６はスロワーであってもよい。
【００１７】
また、符号２３は、籾摺選別装置１を運転操作する操作盤で、装置各部を駆動制御する、図示しないコントローラを内臓することができる。
【００１８】
ここで、籾摺選別装置１を使用して籾摺作業を行うときは、ホッパ２に原料穀粒として籾を供給し、操作盤２３の図示しない電源を投入することにより機体各部を駆動させ、ホッパ２底部に有する不図示のシャッタ板を開いて、脱ぷロール１１ｃに供給された籾が籾摺された後、落下した混合米は風選路１２ａで風選され、最も軽い籾殻は吸引ファン１３により吸引され、籾殻排出筒５を介して機外に排出される。なお、前記シャッタ板は、不図示のコントローラに接続された電磁式などにより自動開閉できるとともに、手動でも開閉可能とされる。
【００１９】
そして、風選路１２ａで風選された比較的軽い小米を含む粃は、粃排出樋１４から排出される。一方、重量の重い玄米と籾摺を損ねた籾との混合米は受樋１５に落下し、混合米昇降機３のバケット３ａで揚穀されて混合米タンク４に供給された後、均分樋１７および分配ケース１８ａを介して揺動選別板１８ｂに供給される。なお、粃排出樋１４から排出された粃を、図示しないベルトコンベア式などの粃還元装置を介して還元昇降機７ａ内に移送し、バケット７ｂによりホッパ２に還元することができる。
【００２０】
次いで、混合米は、揺動選別板１８ｂでの揺動により、小さく比重の重い玄米は揺上側に、また玄米よりも大きく比重の軽い籾は揺下側に、さらに中間部分には分離されない籾と玄米とがそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０に落下し、受樋１５を介して再度選別部１８に搬送され、玄米は玄米用流路２１から玄米揚穀機６を介して仕上米出口９から機外に取り出される。また、返り穀粒である返り籾は、籾用流路１９から流入した返り籾入口部１６ａを介して返り籾出口部１６ｂから還元昇降機７ａによりホッパ２に還元され、再度籾摺される。
【００２３】
次に、本願発明の特徴である、仕上樋に設けた、圧風唐箕に連通する除塵用風路について、その具体的構成を説明する。図５は仕上樋を模式的に示す選別盤下方の斜視図、図６は仕上樋の左側面図、図７は除塵用風路と圧風唐箕の設置位置を模式的に示す籾摺選別装置を左側面後方から見た斜視図、図８は仕上樋および仕上樋周辺の異物除去経路を示す選別盤下方の斜視図、図９は圧風唐箕の駆動を示す、籾摺選別装置の動力伝達経路図である。
【００２４】
まず、図５に示すように、揺動選別板１８ｂの左側面側（手前側）下方には、流下樋３１と、この流下樋３１の下方に、スクリュー式の拡散コンベアなどの仕上樋３２と、さらにこの仕上樋３２の下方には仕上風選部３３を介してスクリュー式の移送コンベアなどの移送樋３４とが、図１〜３に示される左側板３５と、図７に示される仕切板３６との間のスペースに並設される。
【００２５】
また、図７に示すように、この仕上樋３２の上方であって、左側板３５から仕切板３６までの、仕上樋３２における機体左右方向の送穀方向に沿う仕上樋３２の略全長に亘って、底部を開口した長方形状で金属製などの除塵用風路３７が設置される。なお、除塵用風路３７の形状および材質は上述に限定されない。また、図７では、仕上樋３２および移送樋３４の記載を省略した。
【００２６】
さらに、仕切板３６と、右側板３８との間であって、仕上風選部３３の近傍には、仕切板３６に設けた開口部を介して、仕上風選部３３に連通させた圧風唐箕３９が機体左右方向に設置される。
【００２７】
さらに、除塵用風路３７と、圧風唐箕３９とは、仕切板３６の左側板３５側に取付けられた接続用風路４０および仕切板３６の開口部を介して連通されている。
【００２８】
そして、移送樋３４の仕切板３６側の終端部は、揚穀機６の下部に連通されている。
【００２９】
なお、図９に示すように、圧風唐箕３９の駆動軸３９ｓは、脱ぷロール１１ｃにおける主軸ロール１１ａの駆動軸１１ｓと、ベルトＶ１を介して連結されるとともに、この主軸ロール１１ａの駆動軸１１ｓは、機体中央近傍に設置したモータＭの駆動軸ＭｓにベルトＶ２を介して連結される。従って、圧風唐箕３９は、モータＭの駆動により主軸ロール１１ａを介して駆動される動力伝達経路とされる。
【００３０】
ここで、揺動選別操作により揺動選別板１８ｂから得られた玄米を仕上穀粒として機外に取り出す際には、図６に示すように、揺動選別板１８ｂから選別落下した玄米が、流下樋３１に落下し、切替弁２２の起立により流下樋３１に開口させた流入口を介して下方に有する仕上樋３２の左側板３５側に落下する。
【００３１】
次いで、玄米は、仕上樋３２中を仕切板３６に向けてコンベアにより拡散しながら送穀される。このとき、図８に示すように、仕上樋３２周辺の空気は、圧風唐箕３９により接続用風路４０を介して除塵用風路３７の底部の開口部から吸引されているため、仕上樋３２を移動中の、小さな埃や塵などの異物が混入した玄米からこれら異物が除塵用風路３７内に吸引され、接続用風路４０を介して圧風唐箕３９から機外に排出される。
【００３２】
このため、仕上樋３２中に異物が堆積して仕上樋３２が詰まるなどの不具合を生じることなく、仕上樋３２を頻繁にメンテナンスする必要がなくなるとともに、玄米が仕上樋３２中を円滑に送穀されるため、作業効率を向上させることができる。
【００３３】
次いで、玄米は、仕上樋３２の受樋を形成する、開度設定可能な開放弁４１の隙間から落下するとともに、誘導板４２に案内されて、下方の仕上風選部３３に落下する。このとき、仕上風選部３３内およびその周囲の空気は、圧風唐箕３９によって吸引されているため、玄米は、仕上樋３２から仕上風選部３３への落下の過程において、玄米中に残留した塵や埃などの異物が圧風唐箕３９によって確実に吸引されるとともに、機外に排出される。
【００３４】
このため、仕上風選部３３の玄米に残留する異物を、従来のように仕上風選部３３から離間した位置に設置された風選部１２の吸引ファン１３を用いて吸引除去する必要がないため、風選部１２の吸引力（風選効率）を損なわないとともに、仕上風選部３３近傍に設置した圧風唐箕３９により、仕上樋３２周辺および仕上風選部３３に堆積する異物を高効率に吸引除去することができる。
【００３５】
なお、仕上風選部で異物を除去した玄米は、玄米揚穀機６内に流入して、玄米揚穀機６内を上昇し、仕上米出口９から機外に取り出される。
【００３６】
以上詳述したように、この例の籾摺選別装置１は、原料穀粒を脱ぷ部１１の脱ぷロール１１ｃで脱ぷして得た混合穀粒を、風選部１２で風選して中間穀粒および選別穀粒にし、中間穀粒を還元昇降機７ａ（搬送体）により脱ぷ部１１に還元する還元部７および選別穀粒をさらに選別する揺動選別部１８を備えるとともに、揺動選別部１８は、選別穀粒を揺動選別する揺動選別盤１８ｂと、この揺動選別盤１８ｂの下方に有する、揺動選別盤１８ｂから得た仕上穀粒を拡散しながら落下させる仕上樋３２とを備え、仕上樋３２は、この仕上樋３２の送穀方向に沿って略全長にわたり、仕上穀粒から異物を除去する除塵用風路３７を設けるものである。
【００３７】
加えて、除塵用風路３７は、仕上樋３２の近傍に設けた圧風唐箕３９に連通させるとともに、圧風唐箕３９は、仕上風選部３３に連通させる。
【図面の簡単な説明】
【００３８】
【図１】本発明の籾摺選別装置の一例を示す左側面図である。
【図２】籾摺選別装置を左前方からみた斜視図である。
【図３】籾摺選別装置の平面図である。
【図４】籾摺選別装置内部の左側面模式図である。
【図５】仕上樋を模式的に示す選別盤下方の斜視図である。
【図６】仕上樋の左側面図である。
【図７】除塵用風路と圧風唐箕の設置位置を模式的に示す籾摺選別装置を左側面後方から見た斜視図である。
【図８】仕上樋および仕上樋周辺の異物除去経路を示す選別盤下方の斜視図である。
【図９】圧風唐箕の駆動を示す、籾摺選別装置の動力伝達経路図である。
【符号の説明】
【００３９】
３１    流下樋
３２    仕上樋
３３    仕上風選部
３４    移送樋
３５    左側板
３６    仕切板
３７    除塵用風路
３８    右側板
３９    圧風唐箕
４０    接続用風路
【図１】
2010051838.tif 000003
【図２】
2010051838.tif 000004
【図３】
2010051838.tif 000005
【図４】
2010051838.tif 000006
【図５】
2010051838.tif 000007
【図６】
2010051838.tif 000008
【図７】
2010051838.tif 000009
【図８】
2010051838.tif 000010
【図９】
2010051838.tif 000011